(57)【要約】【課題】洗濯機のノイズフィルタを制御ユニットと別部材とし、制御ユニットの制約なしに電磁波低減を行い、かつ防水効果を確実に行う。【解決手段】モータ４６等の運転を制御する制御ユニット４７と、制御ユニットの電源入力部６７と、前記電源入力部６７に付加するノイズフィルタ５３と、制御ユニットを収納するケース６０とを備え、ノイズフィルタ５３は前記制御ユニット４７と分離し、かつ前記ケース６０内に一体に収納したことにより、ノイズフィルタ５３の最適電磁波遮蔽効果を制御ユニットの制約なしに追求可能となり、かつ制御ユニットのケース６０で防水する事により、安全で電磁波遮蔽効果を高めた洗濯機を提供できる。【選択図】図１
2008006048.tif 000002
【特許請求の範囲】
【請求項１】
モータ等負荷装置の運転を制御する制御ユニットと、前記制御ユニットの電源入力部と、前記電源入力部に付加するノイズフィルタと、前記制御ユニットを収納するケースとを備え、前記ノイズフィルタは前記制御ユニットと分離した別部材とし、かつ前記ケース内に前記制御ユニットと共に収納した洗濯機。
【請求項２】
制御ユニットを収納するケースは、フタを有し、前記フタを閉じる事により前記ケースおよび前記フタに形成したリブにより、前記ノイズフィルタが保持される構成の請求項１記載の洗濯機。
【請求項３】
制御ユニットを収納するケースは、制御ユニットとノイズフィルタとの間に、絶縁壁を有した構成の請求項１〜２のいずれか１項に記載の洗濯機。
【請求項４】
絶縁壁は、壁面内部に金属板を配して電磁波遮蔽壁とした構成の請求項３に記載の洗濯機。
【請求項５】
ノイズフィルタは、電源の入力側と制御ユニット側に各々の端子を有し、前記各々の端子はお互いに接続不可能な別形状とした請求項１〜４のいずれか１項に記載の洗濯機。
【請求項６】
ノイズフィルタは、電源の入力側の端子近傍に、入力電源の極性表示を表示した構成の請求項１〜５のいずれか１項に記載の洗濯機。
【発明の詳細な説明】
【技術分野】
【０００１】
本発明は、電源部にノイズフィルタと、制御ユニットを備えた洗濯機に関するものである。
【背景技術】
【０００２】
近年、洗濯機は、モータ等の駆動部を制御する為に、インバータ制御回路等が多用されている。さらに、この制御回路から発した電磁波ノイズが電源線等を通じて他の機器に悪影響を与えたり、モータの回路から発生するノイズで制御回路に影響を与えたりする事を防ぐ為に、この電磁波ノイズを遮断するノイズフィルタを設けることが一般的である。
【０００３】
上記ノイズフィルタの第１の従来構成例として、電源コードとモータコードの離間距離を長くして、ノイズの影響を少なくしつつ、電源回路の入力側の制御ユニット回路にノイズフィルタ回路を接続したものがある（例えば、特許文献１参照）。
【０００４】
また、前記第１の従来構成例以外の第２の従来構成例として、以下に記述するものがあり、図８は、その洗濯機外観図であり、図９は、同洗濯機の主要部分の分解斜視図である。
【０００５】
図８において、外箱１の上方にトップカバー２を装着し、トップカバー２の後方には、給水の入水口３２ａを有する後部パネル２８を、中央付近に開閉自在に蓋３７を、前方には、各種操作キーや表示を有する前部パネル３８を装着する。
【０００６】
図９において、前記図８の前部パネル３８下内方には、マイクロコンピュータやインバータ回路等を有した制御中枢部４ａと、これにリードセン４ｂにより接続された、操作や表示を行う操作・表示部４ｃとで構成された制御装置４を配置する。
【０００７】
また、後部パネル２８の内方には、前記制御装置４から発せられるノイズを遮断するノイズフィルタ１２を組み込んだフィルタケース１６を、上方よりフィルタカバー２１にてトップカバー２に形成したノイズフィルタ収納部２６に係合装着している。
【０００８】
ノイズフィルタ１２の一端には、電源コンセント（図示せず）に差し込み接続されるプラグ２９に接続する電源コード線１９を、他端には、制御装置４に接続されるリード線３０にそれぞれ接続している。この構成は、制御装置４とノイズフィルタ１２とをトップカバー２内部に配置して、組み付けや配線の作業性を良くしようというものである（例えば、特許文献２参照）。
【特許文献１】特開２００１−４６７８６号公報
【特許文献２】特開平１１−９８８９号公報
【発明の開示】
【発明が解決しようとする課題】
【０００９】
しかしながら、前記第１の従来構成例（特許文献１）では、ノイズフィルタが制御ユニットの回路の一部となっているため、ノイズフィルタを構成する素子同士の形状的な組み合わせによっては、サイズ等の制約から電磁波低減が十分に行えない場合があった。
【００１０】
その対応として図８、図９に示す第２の従来構成例（特許文献２）のように、ノイズフィルタを制御ユニットから分離する方法をとった時、ノイズフィルタへの電気接続の必要が生じるため電源の極性間違いを含む誤配線防止を行う必要があるという課題や、ノイズフィルタから制御装置（制御ユニット）までの配線が長くなり性能が不安定となるという課題を有している。また、ノイズフィルタの設置場所が、給水の入水口も設置されている後部パネル内であり、水の通水構造がある近傍で万一水漏れ等の不具合時の発生の場合の絶縁性の低下という点での課題もあった。
【００１１】
本発明は、前記従来の課題を解決するもので、洗濯機の電磁波低減が制御ユニットの制約なしに可能とし、かつノイズフィルタへの誤配線防止を確実に行うと共に、ノイズフィルタの防水効果を高めることを目的とする。
【課題を解決するための手段】
【００１２】
前記従来の課題を解決するために、本発明の洗濯機は、ノイズフィルタを制御ユニットから分離した別部材とし、かつ制御ユニットを収納するケース内に収納すると共に、ノイズフィルタの入出力端子への誤配線防止には、電源の入力側と制御ユニット側の各々の端子を、お互いに接続不可能な別形状の構成としたものである。
【００１３】
これによって、ノイズフィルタは制御ユニットの制約を受けなく、単独の最適電磁波遮蔽効果を求めることが出来ると共に、ノイズフィルタの防水も制御ユニットの収納ケースで一体的に出来るためコンパクト化を図る事が出来る。
【発明の効果】
【００１４】
本発明の洗濯機は、ノイズフィルタが防水効果を持って最適電磁波遮蔽効果を求め得る事が可能で、かつ誤配線を防ぎ得る構成の洗濯機を提供できる。
【発明を実施するための最良の形態】
【００１５】
第１の発明は、モータ等負荷装置の運転を制御する制御ユニットと、前記制御ユニットの電源入力部と、前記電源入力部に付加するノイズフィルタと、前記制御ユニットを収納するケースとを備え、前記ノイズフィルタは前記制御ユニットと分離した別部材とし、かつ前記ケース内に前記制御ユニットと共に収納した事により、ノイズフィルタの最適電磁波遮蔽効果を制御ユニットの制約なしに追求可能であり、かつ制御ユニットのケースで防水する事が出来る安全で電磁波遮蔽効果を高めた洗濯機を提供できる。
【００１６】
第２の発明は、特に、第１の発明の制御ユニットを収納するケースは、フタを有し、前記フタを閉じる事により前記ケースおよび前記フタに形成したリブにより、前記ノイズフィルタが保持される構成とした事により、簡単な構成でノイズフィルタが保持固定されるため生産性の高い洗濯機を提供できる。
【００１７】
第３の発明は、特に、第１〜２のいずれか１つの発明の制御ユニットを収納するケースは、制御ユニットとノイズフィルタとの間に、絶縁壁を有する事により、絶縁距離が増えるので、双方の絶縁性が向上するため安全性を高めた洗濯機を提供できる。
【００１８】
第４の発明は、特に、第３の発明の絶縁壁は、壁面内部に金属板を配し、電磁波遮蔽壁とした事により、ノイズフィルタへの制御ユニットからの電磁波の影響を無くした洗濯機を提供できる。
【００１９】
第５の発明は、特に、第１〜４のいずれか１つの発明のノイズフィルタは、電源の入力側と制御ユニット側に各々の端子を有し、前記各々の側の端子形状をお互いに接続不可能な別形状とした事により、前記各々の端子間への誤挿入防止が可能な洗濯機を提供できる。
【００２０】
第６の発明は、特に、第１〜５のいずれか１つの発明のノイズフィルタは、電源の入力側の端子近傍に、入力電源の極性表示を表示した事により、入力電源の極性誤挿入の防止の可能な洗濯機を提供できる。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における洗濯機の縦断面図であり、図２は、同洗濯機の回路概念図、図３は、同洗濯機のノイズフィルタの外観図、図４は、同洗濯機の制御ユニット部分の断面図、図５は、同洗濯機の制御ユニット部分の分解矢視図、図６は、同洗濯機の制御ユニット部分の外観図を示すものである。
【００２３】
図１において、洗濯機の外箱４０の内部には、周囲に多数の小孔４１を有した回転ドラム４２を回転自在に支持した水槽４３をサスペンション４４にて防振支持する。
【００２４】
回転ドラム４２は、その外底部で回転軸４５を固着し、水槽４３の外底部に固着したモータ４６に連接する。前記モータ４６のインバータ運転制御等は、外箱４０の底部に配した制御ユニット４７にておこない、洗濯機運転に関する操作や表示を行う外箱４０の上方に配した表示入力装置４８とは信号線４９にて接続される。
【００２５】
制御ユニット４７は、ケース６０内部にノイズフィルタ５３と共に収納するとともに、先端部にプラグ５０を有する電源コード５１に接続線５２にて接続され、またモータ４６等の負荷装置とは、負荷ケーブル５４にて接続される。
【００２６】
図２の回路概念図において、ノイズフィルタ５３の入力側は、１００Ｖ、あるいは２００Ｖのような家庭に配電された電源から、プラグ５０および電源コード５１に接続された接続線５２および５２ｂより、端子５６ａおよび５６ｂを介して入力される。
【００２７】
ノイズフィルタ５３は、制御ユニット４７とは独立した別部材として構成し、ノイズフィルタ５３からの出力側は、制御側端子５７を介して出力線５５が制御ユニット４７の電源入力部６７に配線され、ノイズフィルタ５３の電源側は、前記接続線５２を介して電源コード５１、プラグ５０から電源に接続される。
【００２８】
上記のような回路にて、インバータ制御回路等を有する制御ユニット４７から発した電磁波ノイズは、ノイズフィルタ５３にて遮断されプラグ５０等から外部の電源線等を通じて他の機器に悪影響を与えることはない。またその効果を高める為には、制御ユニット４７と、ノイズフィルタ５３を接続する出力線５５の長さが短い事が求められる。これは出力線が長いと、アンテナ効果によりノイズフィルタ５３により遮断される前に、空中に発信することがあるためである。
【００２９】
図３の外観図において、ノイズフィルタ５３は、円柱状ケース内に電子部材および回路を収納した構成としている。
【００３０】
ノイズフィルタ５３の入力側の電源側に接続する端子のうち、電源極性のライン側を電源側端子５６ａとし、ニュートラル側を電源側端子５６ｂとし、各々に電源極性の、ラインを意味する「Ｌ」の極性表示５６ｃと、ニュートラルを意味する「Ｎ」の極性表示５６ｄとを、ノイズフィルタ上のそれぞれの端子近傍に表示している。
【００３１】
前記端子５６ａ、および５６ｂは、組み立て作業やサービス作業性を向上する為、抜き差し可能な端子で樹脂ハウジングの付いたファストン端子で１極タイプである。一方、出力側の制御側端子５７は、樹脂ハウジング付きのファストン端子で２極のタイプである。
【００３２】
この２極の端子間ピッチはこの端子固有で、他の端子側への挿入は出来ない様に設定しているので、入力側と出力側を間違えて接続する事は不可能な構成となる。
【００３３】
ノイズフィルタ５３から出ているリード線５８はアース線であり、ノイズフィルタ５３の内部のアースインダクタ（図示せず）を介して接地線からのノイズ侵入を防止する。
【００３４】
図４の制御ユニット部分の断面図において、ノイズフィルタ５３と制御ユニット４７の、ケース６０およびフタ６１への収納状態を説明する。
【００３５】
ノイズフィルタ５３は、制御ユニット４７の基板４７ａから分離した別部材とし、単独部材としてケース６０内に収納する構成とし、ノイズフィルタ５３の下方は、ケース６０に支持リブ６２を設けて載置せしめ、上方に構成したフタ６１には押さえリブ６３を設けて上方から保持される。
【００３６】
ケース６０およびフタ６１は、絶縁性を有するプラスチック材等で構成し、フタ６１は、内部の制御ユニット４７に載置した電装部材より発生する熱を放散する窓６４を形成し、かつ小ねじ６５にてケース６０に形成したボス６６に締結して、ケース６０と固定する。
【００３７】
図５の制御ユニット部分の分解矢視図において、ノイズフィルタ５３は、制御ユニット４７の基板４７ａとあい隣り合うように配置され、出力線５５は、短い距離でノイズフィルタ５３の近傍の電源入力部６７にて制御ユニット４７に接続される。
【００３８】
ケース６０に形成した開口部６８からノイズフィルタ５３の接続線５２を引き出し、図２で説明した電源コード５１、プラグ５０に接続する。また、制御ユニット４７からモータ４６等の負荷装置への負荷ケーブル５４は、ケース６０に形成した案内溝６９より引き出される。ケース６０に一体形成した取付ヒンジ７０は、洗濯機の外箱４０の底部に取り付ける為のものである。
【００３９】
図６の制御ユニット外観図において、ノイズフィルタ５３は、制御ユニット４７とともに、絶縁性を有する材質のケース６０およびフタ６１で構成される箱状のケース内部に収納され、外部と接続の必要な例えば接続線５２や、負荷ケーブル５４を引き出している。
【００４０】
以上のように構成された洗濯機について、以下その動作、作用を説明する。
【００４１】
電源コード５１から供給された電力は、入力側はライン側電源側端子５６ａおよび、ニュートラル側の電源側端子５６ｂからノイズフィルタ５３に接続され、出力側は制御側端子５７の接続を通し出力線５５にて制御ユニット４７に接続通電され、表示入力装置４８からの信号に従ってモータ４６の負荷装置を駆動する。
【００４２】
ノイズフィルタ５３は、制御ユニット４７と共にケース６０およびフタ６１内部に収められているが、制御ユニット４７とは分離しているため、制御ユニット４７の基板上に配置する形態をとる必要が無く、雑音防止の機能に特化した雑音防止部品の形状、部品の仕様、配置が可能である。
【００４３】
さらにケース６０、フタ６１により絶縁および防水されており、また制御ユニット４７と同一ケース内に隣接して設置した為、出力線５５の長さが短い事より安定した性能を有すると共に、双方の接続が容易であり、接続部もフタ６１で覆われているため安全であり、コンパクト化を図る事も可能である。
【００４４】
また、ノイズフィルタ５３の取付は、ケース６０からの支持リブ６２およびフタ６１からの押さえリブ６３で固定するようにしている為、組み立ても簡単な形態としている。
【００４５】
また、ノイズフィルタ５３は入力側と出力側の端子を持ち、間違いのない接続が求められるが、ノイズフィルタ５３の入力側には１極の端子を、出力側には２極の端子を、それぞれ使用しているので、接続入力側と出力側の誤配線は生じない構成となっている。また、入力側の電源側端子の電源側端子には、極性表示「Ｌ」５６ｃおよび、「Ｎ」５６ｄを行って視認しやすくし、組立作業や、サービス時の分解後の再組み立て時の誤配線防止を図っている。
【００４６】
以上のように、本実施の形態においては、ノイズフィルタを制御ユニットから分離し、かつ制御ユニットを収納するケース内に一体的に収納した構成としたことにより、従来構成の制御ユニットに組み込みの雑音防止機能と比べ雑音防止性能の良いものとする事が出来、洗濯機に必要な防水性を満足しつつ、コンパクト化も図れ、かつ誤配線接続も防止する事が出来る。
【００４７】
（実施の形態２）
図７は、本発明の第２の実施の形態における洗濯機の制御ユニット部分の断面図を示すものである。
【００４８】
ノイズフィルタ５３と制御ユニット４７との間には、ケース７１から絶縁壁７２を、その先端７２ａが円筒形状のノイズフィルタ５３の中心線高さＨの位置より上方に位置するように形成した構成としている。
【００４９】
さらに、ケース７１からの絶縁壁７２の壁面内部に金属板７３を配する。前記金属板７３の構成方法は、例えば樹脂成型部材にてなるケース７１にインサート成型をすること、あるいは、ケース７１に溝を予め形成しておき、この溝に金属板７３を挿入する事により構成している。
【００５０】
以上のように構成された洗濯機について、以下その動作、作用を説明する。
【００５１】
ノイズフィルタ５３と制御ユニット４７とは、絶縁壁７２により沿面距離が十分確保されるので、万一ケースとフタ内部に湿気等が侵入した場合でも、ノイズフィルタ５３と制御ユニット４７の間の絶縁性能を確保する事が出来る。
【００５２】
また、制御ユニット４７から発生した電磁波によるノイズフィルタ５３への影響を、金属板７３にて遮蔽し低減するものである。ノイズフィルタ５３と制御ユニット４７に対し金属部が外部に露出していないため、絶縁性能を損なう事のない構成で電磁波低減を図れるので、全体のコンパクト化にも寄与する構成である。
【産業上の利用可能性】
【００５３】
以上のように、本発明にかかる利用は、電磁波発生の抑制が必要で耐水性の必要な機器には洗濯機以外でも有用である。
【図面の簡単な説明】
【００５４】
【図１】本発明の実施の形態１における洗濯機の縦断面図
【図２】同洗濯機の回路概念図
【図３】同洗濯機のノイズフィルタの外観図
【図４】同洗濯機の制御ユニット部分の断面図
【図５】同洗濯機の制御ユニット部分の分解矢視図
【図６】同洗濯機の制御ユニット部分の外観図
【図７】本発明の実施の形態２における洗濯機の制御ユニット部分の断面図
【図８】従来例の洗濯機外観図
【図９】同従来例の主要部分の分解斜視図
【符号の説明】
【００５５】
４６    モータ
４７    制御ユニット
５３    ノイズフィルタ
５６ｂ  電源側端子
５６ｃ  極性表示
５７    制御側端子
６０    ケース
６１    フタ
６２    支持リブ
６３    押さえリブ
６７    電源入力部
７２    絶縁壁
７３    金属板
【図１】
2008006048.tif 000003
【図２】
2008006048.tif 000004
【図３】
2008006048.tif 000005
【図４】
2008006048.tif 000006
【図５】
2008006048.tif 000007
【図６】
2008006048.tif 000008
【図７】
2008006048.tif 000009
【図８】
2008006048.tif 000010
【図９】
2008006048.tif 000011